(57)【要約】オーディオ/ビデオのコンテンツを処理し、転送する、種々の、装置、システム、マシンによってアクセス可能な媒体を含む物品、更には、方法を開示する。この装置は：元のデータ・ストリームを、受信し、サンプル化データ・ストリームに変換するリサンプラ；第１再生データ・ストリームを、サンプル化データ・ストリームを符号化することによって、生成する第１符号器；及び第２再生データ・ストリームを、元のデータ・ストリームを符号化することによって、生成する第２符号器；を含み得る。代替として、この装置は：元のデータ・ストリームを受信し、第２再生データ・ストリームに符号化する符号器；第２再生データ・ストリームを記憶するメモリ；最終再生データ・ストリームを、第２再生データ・ストリームを受信し、復号化することによって、備える復号器；及び最終再生データ・ストリームを受信し、サンプル化データ・ストリームに変換するリサンプラ；を含み得るものであり、この符号器は第１再生データ・ストリームを受信し、該ストリームに符号化する。
2006508557.tif 000002
【特許請求の範囲】
【請求項１】
装置であって：
元のデータ・ストリームを、受信し、サンプル化データ・ストリームに変換することができるリサンプラ；
該サンプル化データ・ストリームを符号化して第１再生データ・ストリームを生成することができる第１符号器；及び
該元のデータ・ストリームを受信し、第２再生データ・ストリームに符号化することができる第２符号器；
を備えることを特徴とする装置。
【請求項２】
請求項１記載の装置であって、更に：
該元のデータ・ストリームを該リサンプラ及び該第２符号器に送信することができるディジタル・データ源；
を備えることを特徴とする装置。
【請求項３】
請求項１記載の装置であって、更に：
該第１再生データ・ストリームを記憶するメモリ；
を備えることを特徴とする装置。
【請求項４】
請求項１記載の装置であって、更に：
該第２再生ストリームを記憶するメモリ；及び
該第２再生データ・ストリームを、受信し、最終再生データ・ストリームに復号化する復号器；
を備えることを特徴とする装置。
【請求項５】
請求項１記載の装置であって、更に：
該最終再生信号を受信し、テレビジョン受信機によって受信される対象の信号に変換することができるディジタル・データ受信器；
を備えることを特徴とする装置。
【請求項６】
請求項１記載の装置であって、更に：
該第１と第２の再生データ・ストリームに関連したデータを含むユーザ・インタフェース表示を生成するデータ表示生成器；
を備えることを特徴とする装置。
【請求項７】
装置であって：
元のデータ・ストリームを、受信し、第２再生データ・ストリームに符号化する符号器；
該第２再生データ・ストリームを受信し、記憶することができるメモリ；
該第２再生データ・ストリームを、受信し、最終再生データ・ストリームに復号化する復号器；及び
該最終再生データ・ストリームを受信し、サンプル化データ・ストリームに変換するリサンプラ；
を備え；
該符号器は該サンプル化データ・ストリームを、受信し、第１再生データ・ストリームに符号化することができることを特徴とする装置。
【請求項８】
請求項７記載の装置であって、更に：
該最終再生信号を、受信し、テレビジョン受信機によって受信される対象の信号に変換することができるディジタル・データ受信器；
を備えることを特徴とする装置。
【請求項９】
請求項７記載の装置であって、更に：
該第１と第２の再生データ・ストリームに関連したデータを含むユーザ・インタフェース表示を生成するデータ表示生成器；
を備えることを特徴とする装置。
【請求項１０】
システムであって：
少なくともオーディオと視覚の情報を含む元のデータ・ストリームを受信する第１データ処理装置；
を備え；
該第１データ処理装置は該元のデータ・ストリームを、第１と第２の再生データ・ストリームに変換し、該第１と第２の再生データ・ストリームを該第１データ処理装置に含まれるメモリに記憶することができるものであり；
更に、該第１再生データ・ストリームを受信し、該第１再生データ・ストリームを該第２データ処理装置に含まれるメモリに記憶する第２データ処理装置；
を備えることを特徴とするシステム。
【請求項１１】
請求項１０記載のシステムであって、該第１データ処理装置は、該元のデータ・ストリームを、該元のデータ・ストリームをリサンプル化して第１再生データ・ストリームを生成し、該第１再生データ・ストリームを該メモリに記憶することによって、該第１データ処理装置が該元のデータ・ストリームを、該元のデータ・ストリームを第２再生データ・ストリームに符号化し、該第２再生データ・ストリームを該メモリに記憶することによって、変換する工程、とほぼ同時に、変換することができるものであることを特徴とするシステム。
【請求項１２】
請求項１０記載のシステムであって、該第１データ処理装置がビデオ・レコーダであり、該第２データ処理装置が、ラップトップ・コンピュータ、パームトップ・コンピュータ、携帯情報端末、携帯電話、ウェブ・タブレット、及び専用のオーディオ/ビデオの再生装置から成るグループから、選定されることを特徴とするシステム。
【請求項１３】
請求項１０記載のシステムであって、該第１データ処理装置が：
該元のデータ・ストリームを、受信し、サンプル化データ・ストリームに変換することができるリサンプラ；
該サンプル化データ・ストリームを符号化して該第１再生データ・ストリームを生成することができる第１符号器；及び
該元のデータ・ストリームを、受信し、該第２再生データ・ストリームに符号化することができる第２符号器；
を備えることを特徴とするシステム。
【請求項１４】
方法であって：
元のデータ・ストリームを受信する工程；
該元のデータ・ストリームをサンプル化データ・ストリームに変換する工程；
該サンプル化データ・ストリームを符号化して第１再生データ・ストリームを生成する工程；及び
該元のデータ・ストリームを第２再生データ・ストリームに符号化する工程；
を備えることを特徴とする方法。
【請求項１５】
請求項１４記載の方法であって、更に：
該第１と第２の再生データ・ストリームを記憶する工程；
を備えることを特徴とする方法。
【請求項１６】
請求項１４記載の方法であって、更に：
該第１再生データ・ストリームをデータ処理装置に送信する工程；
を備え；
該データ処理装置が、ラップトップ・コンピュータ、パームトップ・コンピュータ、携帯情報端末、携帯電話、ウェブ・タブレット、及び専用のオーディオ/ビデオの再生装置から成るグループから、選定されることを特徴とする方法。
【請求項１７】
請求項１４記載の方法であって、更に：
該第２再生データ・ストリームを最終再生データ・ストリームに変換する工程；及び
該最終再生データ・ストリームをテレビジョン受信機に送信する工程；
を備えることを特徴とする方法。
【請求項１８】
請求項１４記載の方法であって、更に：
該第２再生データ・ストリームを最終再生データ・ストリームに変換する工程； 
該最終再生データ・ストリームを全米テレビジョン方式委員会（NTSC）テレビジョン信号に変換する工程；及び
該NTSCテレビジョン信号をテレビジョン受信機に送信する工程；
を備えることを特徴とする方法。
【請求項１９】
請求項１４記載の方法であって、更に：
全米テレビジョン方式委員会（NTSC）テレビジョン信号を受信する工程；及び
該NTSCテレビジョン信号を該元のデータ・ストリームに変換する工程；
を備えることを特徴とする方法。
【請求項２０】
請求項１４記載の方法であって、更に：
該第２再生データ・ストリームを最終再生データ・ストリームに変換する工程； 
該最終再生データ・ストリームを次世代テレビジョン方式委員会（ATSC）テレビジョン信号に変換する工程；及び
該ATSCテレビジョン信号をテレビジョン受信機に送信する工程；
を備えることを特徴とする方法。
【請求項２１】
請求項１４記載の方法であって、更に：
次世代テレビジョン方式委員会（ATSC）テレビジョン信号を受信する工程；及び
該ATSCテレビジョン信号を該元のデータ・ストリームに変換する工程；
を備えることを特徴とする方法。
【請求項２２】
請求項１４記載の方法であって、更に：
該第２再生データ・ストリームを最終再生データ・ストリームに変換する工程； 
該最終再生データ・ストリームを、走査線毎に位相を反転させる（PAL）方式のテレビジョン信号に変換する工程；及び
該PALテレビジョン信号をテレビジョン受信機に送信する工程；
を備えることを特徴とする方法。
【請求項２３】
請求項１４記載の方法であって、更に：
走査線毎に位相を反転させる（PAL）方式のテレビジョン信号を受信する工程；及び
該PALテレビジョン信号を該元のデータ・ストリームに変換する工程；
を備えることを特徴とする方法。
【請求項２４】
方法であって：
元のデータ・ストリームを受信する工程；
該元のデータ・ストリームを第２再生データ・ストリームに符号化する工程；
該第２再生データ・ストリームを復号化して最終再生データ・ストリームを備える工程；
該最終再生データ・ストリームをサンプル化データ・ストリームに変換する工程；及び
該サンプル化データ・ストリームを符号化して第１再生データ・ストリームを生成する工程；
を備えることを特徴とする方法。
【請求項２５】
請求項24記載の方法であって、更に：
該第２再生データ・ストリームを、該最終再生データ・ストリームをサンプル化データ・ストリームに変換する前に、記憶する工程；
を備えることを特徴とする方法。
【請求項２６】
請求項24記載の方法であって、更に：
該第１再生データ・ストリームを記憶する工程；及び
該第１再生データ・ストリームをデータ処理装置に送信する工程；
を備え；
該データ処理装置が、ラップトップ・コンピュータ、パームトップ・コンピュータ、携帯情報端末、携帯電話、ウェブ・タブレット、及び専用のオーディオ/ビデオの再生装置から成るグループから、選定されることを特徴とする方法。
【請求項２７】
関連したデータを有する、マシンによってアクセス可能な媒体を有する物品であって、
該データが、アクセスされた場合に、マシンに：
元のデータ・ストリームを受信する工程；
該元のデータ・ストリームをサンプル化データ・ストリームに変換する工程；
該サンプル化データ・ストリームを符号化して第１再生データ・ストリームを生成する工程；及び
該元のデータ・ストリームを第２再生データ・ストリームに符号化する工程；
を行わせることを特徴とする物品。
【請求項２８】
請求項２７記載の物品であって、該マシンによってアクセス可能な媒体が更にデータを含み、該データが該マシンによってアクセスされた場合に、該マシンに：
該第１再生データ・ストリームをデータ処理装置に送信する工程；及び
該第１再生データ・ストリームと関連したメタデータを該データ処理装置に送信する工程；
を行わせることを特徴とする物品。
【請求項２９】
請求項２７記載の物品であって、該マシンによってアクセス可能な媒体が更にデータを含み、該データが該マシンによってアクセスされた場合に、該マシンに：
該第１再生データ・ストリームをデータ処理装置に送信する工程；及び
該第１再生データ・ストリームと関連した実行可能再生プログラムを該データ処理装置に送信する工程；
を行わせることを特徴とする物品。
【請求項３０】
請求項２７記載の物品であって、該マシンによってアクセス可能な媒体が更にデータを含み、該データが該マシンによってアクセスされた場合に、該マシンに：
該第２再生データ・ストリームを復号化して最終再生データ・ストリームを生成する工程； 
を行わせることを特徴とする物品。
【請求項３１】
請求項３０記載の物品であって、該マシンによってアクセス可能な媒体が更にデータを含み、該データが該マシンによってアクセスされた場合に、該マシンに：
該最終再生データ・ストリームをテレビジョン受信機に送信する工程； 
を行わせることを特徴とする物品。
【発明の詳細な説明】
【技術分野】
【０００１】
本発明は、一般的に、データを処理し、データを１つの装置から別の装置に転送するのに用いられる装置、システム、及び方法に関する。特に、本発明は、ディジタルのオーディオ/ビデオのデータのような、ディジタル・コンテンツ・データの、処理と、１つの記憶/再生システムから、異なる記憶及び/又は再生のフォーマットを用いる、別のシステムへの、転送に、関する。
【背景技術】
【０００２】
ビデオ・カセット・レコーダ（VCR）は、磁気的に記録されたアナログのカセットを用いてオーディオ/ビデオのコンテンツのタイムシフト視聴を可能にするものであり、米国の家庭の大部分において不可欠な物となっている。しかしながら、消費者が利便性、忠実度、及び信頼性を求めるにつれて、別の形態の媒体が重要になってきている。これらはディジタル・ビデオ・ディスク（DVD）を含み、最近では、パーソナル・ビデオ・レコーダ（PVR）を含む。
【０００３】
VCRと同様に、PVRは記録されたテレビジョン及び別のオーディオ/ビデオのコンテンツのタイムシフト再生を可能にする。しかしながら、線形アクセス可能な磁気テープを用いる代わりに、PVRは、コンテンツを、ディジタル化し、ランダム・アクセスが可能なメモリ（例えば、ハード・ディスク・ドライブ）を用いて記録する。その結果、再生体験が改善され、生のコンテンツは休止可能であり、コマーシャルはスキップ可能であり、記録を反復して行っても、その記録されたコンテンツの品質は何ら劣化されない。
【０００４】
このPVRの便益はかなりのものである一方、現在入手可能な再生装置は、再生コンテンツを抽出して、記憶と処理の機能が限定されたものを有するポータブルのデータ処理装置（例えば、個人向娯楽装置、すなわちPED）とともに用いる機能を備えるものでない。したがって、PVRコンテンツを視聴することはPVRが存在し得る場所に限定され、それ以外の場所では排除されるので、潜在視聴者、更には、場合によっては、ライセンシング収益を削減することになる。
【発明の開示】
【発明が解決しようとする課題】
【０００５】
したがって、当該技術分野において、オーディオ/ビデオのコンテンツを、好都合に、処理し、PVRから、メモリ及び処理の機能が限定された、PEDのような、種々のポータブルのデータ処理装置に転送する、装置、マシンがアクセス可能な媒体を含む物品、システム、及び方法に対する必要性が存在する。オーディオ/ビデオのコンテンツを、好都合に、処理し、PED及び別のポータブルの装置に転送するこの機能によって消費者がテレビジョン記録を「いつでも、どこでも」楽しむことが可能になる。この機能を備えることによって、種々のコンテンツのフォーマットに対する視聴者を広げ得るものであり、コンテンツ・プロバイダにとってはライセンシング収益の追加収益源としての役目を担い得る。
【課題を解決するための手段】
【０００６】
本発明の以下の詳細説明においては、本明細書及び特許請求の範囲の一部分を構成する添付図面に対する参照を行い、該添付図面においては、例示の目的であり、限定する目的ではなく、特定の実施例で、該実施例において本発明を実施し得るもの、を表す。図面においては、同じ番号は実質的に同様な構成部分をいくつかの図を通して表す。該例示実施例は当業者が本発明を実施するのに十分な詳細まで記載する。該実施例から、別の実施例を、構造的かつ論理的な、置換及び変更を本発明の範囲から逸脱することなく行い得るように、利用して導き出し得るものである。以下の詳細説明は、したがって、限定的な意味合いで解釈されるものでなく、本発明の範囲は、本特許請求の範囲、更には、最大限可能な範囲で、該最大限可能な範囲に対してそのような特許請求の範囲に権利が付与されるもの、によってのみ規定される。
【発明を実施するための最良の形態】
【０００７】
〔実施例〕
図１は本発明の種々の実施例による、装置、マシンによってアクセス可能な媒体、及びシステムのブロック図である。本発明の一実施例では、オーディオ/ビデオ・コンテンツ又はデータを処理し、転送する装置１００はリサンプラ１０２、第１符号器１０４、及び第２符号器１０６を含み得る。該装置１００は、例えば、パーソナル・コンピュータ、又は、PVR、のような、消費者向機器１０８の一部として含み得る。
【０００８】
該装置を用いるよう、消費者は、ケーブル放送ネットワーク、テレビジョン・アンテナ、若しくはサーバのような、アナログ又はディジタルの信号源１１０から記録される番組を選定し得る。記録の開始が予定されている適切な時間に、同調装置(チューナ)１１２を用いて、特定のチャンネルに同調し得る、又は、特定のチャンネルを該信号源から、選定し得る。例えば、信号に同調し得るか、いくつかの視聴可能なものから選定し得るものであり、ディジタル形式（例えば、NTSC（全米テレビジョン方式委員会）ビデオ信号、次世代テレビジョン方式委員会（ATSC）信号、又は走査線毎に位相を反転させる（PAL）方式の信号）にまだなっていない場合には、該選定信号はディジタル信号に、ディジタル・アナログ変換器のような、ディジタル・データ源１１４によって、ディジタル化すなわち変換し得る。この例示的な信号に対する適切な標準は以下：Society  of  Motion  Picture  and  Television  Engineers,  “Television-Composite  Analog  Video  Signal  −  NTSC  for  Studio  Applications”,  SMPTE-170M,  1994；  ATSC  Standard；http://www.atsc.org/standards/a_53b.pdfから入手できるDigital  Television  Standard,  Revision  B,  Doc.  A/５３B,  August  7,2001；及びEuropean  Broadcasting  Union  Technical  Document：tech  3280  1995,  Specifications  of  interfaces  for  625-line  digital  PAL  signals；の通リである。
【０００９】
従来のPVR記録処理によれば、元のデータ・ストリームに含まれるオーディオとビデオのコンテンツは第２符号器１０６に送信して、該第２符号器に、動画像専門家グループ（MPEG）-2フォーマット（例えば、http://mpeg.telecomitalialab/com/standards/mpeg-2/mepg-2.htm）にある、General  Coding  of  Moving  Pictures  and  Associated  Audio  Information,  MPEG-2  International  Standard,  ISO/IEC  JTC1/SC29/WG11,  November  1994以降のバージョンを参照。）のような、如何なるフォーマットにも符号化し得る。元のデータ・ストリームはこのように、基本データ・ストリームに、専用圧縮ASIC又は別の素子を用いてフォーマット化して、更に、1つ又は複数のMPEG-2の番組ストリームに多重化し得るものであり、該ストリームは同様に、第２再生データ・ストリームを形成し得るものであり、該ストリームはメモリ116に記憶される第２再生データ・ストリームを形成し得る。
【００１０】
データ処理装置１１８のような、大部分のポータブルのオーディオ・ビデオ再生装置の記憶容量及び処理能力が限定されているため、MPEG-2番組ストリームの再生は可能でない。したがって、再構成された元のデータ・ストリームのポータブル視聴を行うには何か別の機構が必要である。図１に表す実施例では、ディジタル・データ源１１４は元のデータ・ストリームをリサンプラ102に送信し得る。元のデータ・ストリームは更に、受信され、サンプル化データ・ストリームに、リサンプラ１０２によって、変換され得る。これは元のデータ・ストリームをサンプリングしてハンドヘルド装置に適切な解像度（例えば、320x240の画素解像度）を備え、更に、リサンプル化されたオーディオとビデオとを適切なハンドヘルド装置のビット・レートに符号化することによって、行い得る。第１符号器１０４は、同様に、元のデータ・ストリームを受信し、符号化して第１再生データ・ストリームを生成し得るものであり、該ストリームは、MPEG-4フォーマット（http://mpeg.telecomitalialab.com/standards/mpeg-4/mpeg-4.htmにある、Coding  of  Moving  Pictures  and  Audio,  MPEG-4  International  Standard,  ISO/IEC  JTC1/SC29/WG11,  October,  1998以降のバージョンを参照。）のような、如何なるフォーマットでもあり得る。第１再生データ・ストリームは任意に、メモリ１１６に記憶し得る。
【００１１】
所望される場合、第１再生データ・ストリーム及び第２再生データ・ストリームはメモリ１１６に別個に記憶し得るものであり、該メモリは消費者向機器１０８のファイル・システムの一部分を構成し得る。代替として、第１と第２の再生データ・ストリームは併せて単一のデータ・ストリームに多重化し、メモリ１１６に記憶し得る（例えば、第１再生データ・ストリームは第２再生データ・ストリームの「ユーザ・データ・セグメント」に挿入し得るものであり、該ストリームはMPEG-2番組ストリームであり得る。）。
【００１２】
符号化データ・ストリームを再生するよう、データはメモリ１１６における記憶機構から取り出し、更に処理し得る。一般に、消費者は先行して記録された番組を選定して消費者向機器１０８を通じて再生する。第２再生データ・ストリームとしてメモリ116に記憶されたそのコピーは復号器１２０によってアクセスし、受信し得るものであり、該復号器１２０は、例えば、MPEG-2フォーマットの復号器であり得る。種々の実行可能プログラム１２２を用いて第２再生データ・ストリームを復号器１２０に提供することを支援し得るものであり、該復号器１２０は最終再生データ・ストリームで、ディジタル・テレビジョン受信機のような、テレビジョン受信機124に直接送出し得るもの、を備える。代替として、最終再生データ・ストリームは、最終再生信号を、受信し、テレビジョン受信機１２４によって受信される信号（例えば、NTSC、ATSC、又はPALのテレビジョン信号）に変換することができる、ディジタル・アナログ変換機のような、ディジタル・データ受信器１２６に送出し得る。
【００１３】
消費者が符号化データをポータブル装置118上で再生しようとする場合、該データは装置１１８に消費者向機器１０８から転送することを要する。転送処理は第１再生データ・ストリームをメモリ１１６から装置１１８のメモリ１２８に移動する。ユニバーサル・シリアル・バス、ブルートゥース（Bluetooth）（商標）リンク、IrDA（赤外線データ通信協会）リンク、イーサネット（登録商標）（IEEE802.3）接続、若しくはIEEE802.11接続のような、有線又は無線の接続１３０を用いてデータのメモリ１１６からメモリ１２８への転送をもたらし得る（関連基準：www.usb.orgにある、Universal  Serial  Bus  2.0以降のバージョン；Bluetooth  System  Specification,  Bluetooth  Special  Interest  Group,  Ver.  1.1  以降のバージョン,  March  2001；Infrared  Data  Association  Minimal  IrDA  Protocol  Implementation,  Counterpoint  Systems  Foundry,  Inc.,  Ver.  1.0以降のバージョン,  November  6,1996;及びIEEE  Standards  for  Information  Technology-Telecommunications  and  Information  Exchange  between  Systems-Local  and  Metropolitan  Area  Network-Specific  Requirements-Part  3:Carrier  Sense  Multiple  Access  with  Collision  Detection（CSMA/CD）Access  Method  and  Physical  Layer,  IEEE802.3-2002（登録商標）,  2002、並びにPart  11:Wireless  LAN  Medium  Access  Control（MAC）  and  Physical  Layer(PHY),  ISO/IEC  8802-11:  1999；を参照。）。当然、更に、第１再生データ・ストリームをメモリ１１６から取り外し可能記憶媒体１３２（例えば、フラッシュ・メモリ、コンパクト・ディスク、又は別の媒体）に転送することが考えられ、該取り外し可能記憶媒体はポータブル装置１１８に結合し得る。
【００１４】
第１再生データ・ストリームにおいて含まれるオーディオ/ビデオのデータに加えて、データ・ストリームと関連したメタデータ（例えば、題名、放送時間、経過時間）も転送して再生体験を向上させ得る。任意に、装置118上でコンテンツを再生するのに要するソフトウェア・プログラム・モジュール（例えば、復号器）のような実行可能ファイル１３４、134’もメモリ128又は取り外し可能媒体132に転送し得る。実行可能ファイル134,134’を第１再生データ・ストリームに含めることによって、装置128上の適切な再生が確保される。例えば、新たな、改良圧縮フォーマットを用いて第１再生データ・ストリームを、消費者が装置１１８上で新たなソフトウェアを明示的にインストールすることを要することなく生成し得る。コンテンツを実行可能ファイルにリンクすることによって更に、記録された、オーディオ/ビデオのコンテンツの権利を管理し、コンテンツの使用度を、ライセンシングのロイヤルティ支払に関して、追跡する機構を備え得る。
【００１５】
データ表示生成器１３６を、種々の表示をテレビジョン受信機１２４又は別の場所上で生成してオーディオ/ビデオのコンテンツの処理、転送及び再生の種々の特徴に関して通知するよう、用い得る。例えば、生成器１３６を用いてチューナのような、選定装置１１２を用いて1つ又は複数のコンテンツ・チャンネルを選定する通常のメニューを表示し得る。生成器１３６を更に用いて、以下に詳細に記載するように、第１及び第２の再生データ・ストリームと関連したデータを含むユーザ・インタフェース表示を備え得る。
【００１６】
図２は本発明の種々の実施例による、代替的装置、マシンによってアクセス可能な媒体を含む代替的物品、及び代替的システムのブロック図である。本実施例で、通常、ハードウェアを再使用することによってコストを削減するもの、においては、装置２００は元のデータ・ストリームを、受信して、第２再生データ・ストリームに符号化する、符号器２０６を含み得る。装置２００は更に、第２再生データ・ストリームを受信し、記憶することができるメモリ２１６及び、第２再生データ・ストリームを、受信し、最終再生データ・ストリームに復号化する、復号器２２０を含み得る。最終再生データ・ストリームは直接、テレビジョン受信機２２４に送出し得るか、代替として、テレビジョン１２４によって受信されるよう、ディジタル・アナログ変換器のような、ディジタル・データ受信器２２６に送出し得る。実行可能プログラム２２２を用いて第２再生データ・ストリームを復号器220に提供することを支援し得る。
【００１７】
上記のように、装置２００は消費者向機器２０８の一部として含み得る。装置200を用いるよう、消費者は記録する番組を信号源２１０から、同調装置２１２を用いて、特定のチャンネルに同調し得るか、特定のチャンネルを信号源から選定し得るように、選定し得る。この場合も又、ディジタル形式にまだない場合には、選定された信号はディジタル・データ源２１４によって、ディジタル信号（つまり、元のデータ・ストリーム）に、ディジタル化し得る、すなわち変換し得る。この時点で、元のデータ・ストリームにおいて含まれるオーディオとビデオのコンテンツは第２符号器２０６に送信し、更に（特定のアプリケーションに必要な場合）第２符号器２０６によって、MPEG-2フォーマットのような、如何なるフォーマットにも符号化して、メモリ２１６に記憶される第２再生データ・ストリームを形成し得る。
【００１８】
データ処理装置２１８の機能が限定される（例えば、削減された記憶容量、低解像度、低フレーム・レートなど）ことによってMPEG-2番組ストリームの再生を妨げ得るので、装置２００は更に、リサンプラ２０２を含み得る。しかしながら、この場合には、リサンプラ２０２を用いて最終再生データ・ストリームを、受信し、サンプル化データ・ストリームに、符号器２０６を再使用して該サンプル化データ・ストリームを、受信し、第１再生データ・ストリームに符号化し得るように、変換し得る。符号器２０６は第１再生データ・ストリームを、MPEG-4フォーマットのような、如何なるフォーマットにおいても生成し、メモリ216に第１再生ストリームを記憶し得る。
【００１９】
上記のように、第１及び第２の再生データ・ストリームを別個にメモリ216に記憶し得るか、所望される場合、合成し得る。符号化データ・ストリームを再生するよう、データをメモリ２１６における記憶機構から取り出し、上記のように処理し得る、このように、消費者が符号化データをポータブル装置218上で再生しようとする場合、該データは装置２１８のメモリ２２８に、機器２０８、又は取り外し可能記憶媒体２３２から、通常、ユニバーサル・シリアル・バス、ブルートゥース（商標）リンク、IrDAリンク、又は802.11接続のような、有線又は無線の接続２３０を用いて、転送されることを要する。装置218上でコンテンツを再生するのに要するメタデータ及び実行可能ファイル234,  234’は更に、メモリ228又は各種の取り外し可能記憶媒体232に転送し得る。データ表示生成器236を用いて種々の表示で、ユーザ・インタフェースが表示する、第１及び第２の再生データ・ストリームに関連した、データを含むもの、をテレビジョン受信機224上で生成し得る。
【００２０】
別の実施例では、本発明はシステム２３８（図１のシステム128も参照。）を含み、該システムは、第２データ処理装置２１８に、通常は有線又は無線の接続２３０を用いて、結合することができる第１データ処理装置２０８を備える。本発明の種々の実施例によれば、第１データ処理装置２０８はPVRのような、ビデオ・レコーダであり得るものであり、第2データ処理装置は、PED、ラップトップ型コンピュータ、パームトップ型コンピュータ、携帯情報端末、携帯電話、ウェブ・タブレット、及び/又は何かの専用のオーディオ/ビデオの再生装置の形態のような、如何なる数の装置でもあり得る。
【００２１】
第１装置２０８は少なくともオーディオと視覚の情報を含む元のデータ・ストリームを受信し、元のデータ・ストリームを第１と第２の再生データ・ストリームに変換し得る。上記の装置208,218の記載にならって、システム２３８では、第１装置２０８は元のデータ・ストリームを、元のデータ・ストリームをリサンプル化して第１再生データ・ストリームを生成することによって、変換し得るものであり、該第１再生データ・ストリームは任意に、メモリ216に記憶し得る。この処理は、第１装置が元のデータ・ストリームを、該元のデータ・ストリームを第２再生データ・ストリームに符号化することによって、変換する処理と、およそ同時に行い得るものであり、該第２再生データ・ストリームもメモリ２１６に記憶し得る。
【００２２】
本発明のシステム138,238はリサンプラ、符号器、及び復号器の種々の組み合わせを含み得る。例えば、図１をもう一度参照すれば、システム１３８では、第１データ処理装置108は元のデータ・ストリームを、受信し、サンプル化データ・ストリームに変換することができるリサンプラ１０２、及びこのリサンプラに結合された第１符号器１０４を含み得ることが分かる。符号器１０４は更に、サンプル化データ・ストリームを符号化して第１再生データ・ストリームを生成し得る。装置１０８は更に、元のデータ・ストリームを、受信し、第２再生データ・ストリームに符号化することができる第２符号器１０６を含み得る。
【００２３】
装置100,200；信号源110,210；同調装置すなわちチューナ112,212；ディジタル・データ源114,214；リサンプラ102,202；符号器104,106,206；データ表示生成器136,236；メモリ116,216；復号器120,220；ディジタル・データ受信器126,226；及びテレビジョン受信機124,224；は全て、本明細書及び特許請求の範囲の原文では「modules」として特徴付け得ることを特筆する。そのようなモジュール（modules）は、マイクロプロセッサ並びに/若しくはメモリ回路、ソフトウェア・プログラム・モジュール、並びに/又はファームウェア、とそれらの組み合わせとを、装置100,200、機器108,208、及びシステム138,238の設計者によって所望されるように、かつ、本発明の特定の実施に適切なように、含み得る。同様に、所望のように、上記モジュールの全てを単一の装置にグループ化するか、いくつかの別の装置に分散させるか、さもなければ、いくつかのモジュールが一緒にグループ化され、別のものが別個に分散されるように配置される。
【００２４】
当業者は、本発明の上記装置及びシステムが、ハンドヘルド又はポータブルのコンピュータのような装置、及びPVR並びにPEDを含むシステム用のアプリケーション以外のアプリケーションに用いることが可能であり、したがって、本発明はそのように限定するものでないことが、分かる。装置100,  200及びシステム138,  238の図は本発明の構造を概括的に理解することができることを意図するものであり、本明細書並びに特許請求の範囲記載の構造を利用し得る、オーディオ/ビデオのコンテンツ処理装置及びシステムの構成要素と特徴との全てを完全に記載するものとしての役目を担うことを意図するものでない。
【００２５】
本発明の上記の新規の装置及びシステムを含み得るアプリケーションは、高速コンピュータにおいて用いられる電子回路、通信並びに信号処理の回路、モデム、プロセッサ・モジュール、組み込みプロセッサ、及び、多層の、マルチチップ・モジュールを含む、特定用途向モジュールを含む。そのような装置及びシステムは更に、テレビ受信機、携帯電話、パーソナル・コンピュータ、エンターテインメント・センタ、車両、などのような、種々の電子システム内部のサブコンポーネントとして含まれ得る。
【００２６】
本発明の装置及びシステムの動作状態を消費者に向けて表示するのに有用な多くの実現可能な構成が考えられる。上記のように、表示を用いて消費者にオーディオ/ビデオのコンテンツの処理、転送及び再生の処理の種々の特徴の状態に関して、通知し得る。例えば、第１と第２の再生データ・ストリームに関連した状態データを含む例示的ユーザ・インタフェース表示を図3に表す。この場合には、表示３４０は、2つの領域：機器状態領域342及びポータブル装置状態領域３４４；に分割されるものとして表す。これらの状態領域342,344は、いくつかの特性を共有する一方、お互いに極めて別個のものでもある。
【００２７】
機器状態領域342は、例えば、個々の番組348、公演、又はエピソードを含む、視聴可能なコンテンツの題名346のような、種々のサブジェクト・ヘッディングを含み得る。機器状態領域342は更に、個々の番組350がポータブル装置318のメモリに付加する対象のものであるか否かについての表示350を含み得る（例えば、図では、SHOW_A及びSHOW_Cはポータブル装置３１８に接続330を介して転送されるかコピーされる対象のものである。）。利用可能な機器メモリ352の表示は更に、機器状態領域342に含み得る。
【００２８】
同様に、ポータブル装置状態領域344は、転送又はコピーされたコンテンツの題名354、個々の番組がポータブル装置318のメモリから削除するよう選定されたか否かの表示356（例えば、図では、SHOW_A及びSHOW_Bは削除する対象である。）のような、種々のサブジェクト・ヘッディングを含み得る。個々の番組が、削除から保護される、すなわちロックされるか否かの表示358も、ポータブル装置状態領域344の一部として存在し得るものであり、利用可能なポータブル装置メモリ３６０の表示も同様であり得る。
【００２９】
上記のように、いくつかの装置及びシステムが本発明を実施し得る。更に、本発明の一部として実施し得る方法がいくつか存在する。例えば、図４は本発明の実施例による、コンテンツを処理し、転送する１つの実現可能な方法を示す流れ図である。この方法４１１はブロック４１５で、アナログのテレビジョン信号（例えば、NTSC、ATSC、若しくはPALのフォーマットのテレビジョン信号）又はディジタルのオーディオ/ビデオの信号のような、元の信号を、如何なる数の信号源（例えば、テレビ局、ネットワーク、サーバ、若しくはメモリ）からも受信し得る。いくつかの、データ又はコンテンツのチャンネルが存在する場合には、方法４１１は、ブロック４２１で、特定のチャンネルを選定する工程、又は信号源によって提供された対象チャンネルに同調させる工程を含み得る。この信号原がアナログ源か、パケット化ディジタル・データの場合には、方法411は、ブロック425で、選定された元の信号を種々の通常入手可能な復号器による受信に適した、元のデータ・ストリームに変換する工程を含み得る。このように、信号源によって供給される信号が、NTSC、ATSC、又はPAL信号のような、アナログ信号の場合には、変換は、当業者に周知のように、アナログ・ディジタル信号変換を含み得る。しかしながら、信号源が、パケット化信号のような、ディジタル信号を供給する場合、変換は、MPEG-2符号器のような、符号器による処理に適切な配列でパケットを配置する工程を含み得る。
【００３０】
方法４１１はブロック４３１で、元のデータ・ストリームを、場合によってはPVR又は何かの別の消費者向機器上に存在する外部コネクタで、受信する工程を、含み得るものであり、この時点では2つの別個の処理はおおよそ同時か、少なくとも半並行で、行い得る。各処理は再生データ・ストリームの生成に関する、すなわち、第１再生データ・ストリームは通常、PEDの動作において用いられ、第２の再生データ・ストリームは通常、PVRのような、非ポータブルの消費者向機器の動作において用いられる。
【００３１】
方法411は、ブロック435で、（例えば、リサンプラを用いて）元のデータ・ストリームをサンプル化データ・ストリームに変換する工程、ブロック４４１で、（例えば、MPEG-4符号器を用いて）サンプル化データ・ストリームを符号化して第１再生データ・ストリームを生成する工程、及び、ブロック４４５で、第１再生データ・ストリームを、通常、元のデータ・ストリームを受信する消費者向機器に含まれるメモリにおいて、記憶する工程、を含み得る。
【００３２】
消費者によって視聴される前に、方法４１１はブロック４５１に進め得るものであり、ブロック４５１では、第１再生データ・ストリームが、ラップトップ・コンピュータ、パームトップ・コンピュータ、携帯情報端末、携帯電話、PED、ウェブ・タブレット、又は専用のオーディオ/ビデオの再生装置の何かの別の形態のような、データ処理装置に送信される。本発明の装置に関して上記で説明したように、方法411は第１再生データに関連したメタデータ及び/又は実行可能プログラムをデータ処理装置に送信する工程を含み得る。
【００３３】
第２再生データ・ストリームを元のデータ・ストリームがブロック431で受信された後に生成するよう、方法４１１は、ブロック４６５で、（例えば、MPEG-2符号器を用いて）元のデータ・ストリームを第２再生データ・ストリームに符号化する工程を含み得る。ブロック４７１で、第２再生データ・ストリームを更に、通常、機器のメモリに記憶し得る。
【００３４】
消費者によって視聴されるためには、方法411は、ブロック475で、第２再生データ・ストリームを最終再生データ・ストリームに復号化する工程、４８５で（例えば、ディジタル受信器を仮定して）最終再生データ・ストリームをテレビジョン受信機に送信する工程を含み得る。代替として、方法411はブロック475で、第２再生データ・ストリームを最終再生データ・ストリームに復号化する工程、ブロック４８１で、場合によってはディジタル・アナログ変換を介して、最終再生データ・ストリームをテレビジョン信号（例えば、NTSC、ATSC、PAL）に変換する工程、及びブロック485でテレビジョン信号をテレビ受信機に送信する工程を含み得る。当然、別のアナログ信号フォーマットを、NTSC、ATSC又はPAL規定のフォーマットの代わりに用い得る。
【００３５】
図５は本発明の実施例による、コンテンツを処理し、転送する代替的方法を示す流れ図である。この場合、この方法は、再生データ・ストリームを、半同時すなわち半並行ではなく、順次に生成することによって特徴付けられる。このように、方法511は、ブロック515で元の信号を受信する工程、ブロック521で特定のチャンネルを選定する工程、ブロック525で選定された元の信号を元のデータ・ストリームに変換する工程、及びブロック531で元のデータ・ストリームを受信する工程を含み得る。この時点まで、図5において表す方法は図4に表すものと同様のものである。しかしながら、この時点では、２つの実施例は違ってくる。
【００３６】
元のデータ・ストリームがブロック531で受信された後に第２再生データ・ストリームを生成するよう、方法511は、ブロック535で（例えば、MPEG-2符号器を用いて）元のデータ・ストリームを第２再生データ・ストリームに符号化する工程、及び、ブロック541で、第２再生データ・ストリームを、通常機器メモリに、記憶する工程を含み得る。消費者によって視聴されるためには、方法511は、ブロック５４５で、第２再生データ・ストリームを最終再生データ・ストリームに復号化する工程、及びブロック５５５で（例えばディジタルテレビジョン受信器を用いて）最終再生データ・ストリームをテレビジョン受信機に送信する工程を含み得る。代替として、方法511はブロック545で第２再生データ・ストリームを最終再生データ・ストリームに復号化する工程、ブロック551で、ディジタル・アナログ変換を用いて、最終再生データ・ストリームをテレビジョン信号（例えば、NTSC、ATSC、又はPAL）に変換する工程、及びブロック555でテレビジョン信号をテレビジョン受信機に送信する工程を含み得る。上記のように、NTSC、ATSC、又はPALとは別の信号フォーマットを用い得る。
【００３７】
ブロック５４５で第２再生ストリームが復号化されて最終再生データ・ストリームが備えられると、方法511は、ブロック５６５で、（例えば、リサンプラを用いて）元のデータ・ストリームをサンプル化データ・ストリームに変換する工程、ブロック５７１で、（例えば、ブロック535で用いられる符号器と同じものであり得る、MPEG-2又はMPEG-4の符号器を用いて）サンプル化データ・ストリームを符号化して第１再生データ・ストリームを生成し、ブロック５７５で、第1再生データ・ストリームを、通常、第２再生データ・ストリームを視聴するのに用いられる消費者向機器に含まれるメモリに記憶する工程を含み得る。このように、方法５１１を実施することによって、通常、第２再生データ・ストリームを、第２再生データ・ストリームを復号化して最終再生データ・ストリームを備える前に、記憶することをもたらし、該最終再生データ・ストリームは更に、サンプル化データ・ストリームに変換される。
【００３８】
消費者によって視聴される前に、方法511は、ブロック581に続き、ブロック581では、第１再生データ・ストリームが、ラップトップ・コンピュータ、パームトップ・コンピュータ、携帯情報端末、携帯電話、PED、ウェブ・タブレット、又は専用のオーディオ/ビデオの再生装置を含む、如何なる数のポータブルのデータ処理装置にも送信される。本発明の装置に関して上記に説明したように、方法511は第１再生データ・ストリームに関連したメタデータ及び/又は実行可能なプログラムをポータブルのデータ処理装置に送信する工程を含み得る。
【００３９】
もう一度図１及び２を参照すれば、本発明の別の実施例が、コンピュータ、メモリ・システム、磁気ディスク若しくは光ディスク、何かの別の記憶装置、及び/又は如何なる種類の電子装置若しくはシステム、のような、物品139,239で、関連データ134,234を有するマシンによってアクセス可能な媒体116,216（例えば、電気的、光学的又は電磁気的導体を含むメモリ）で、アクセスされた場合に、マシンが、元のデータ・ストリームを受信し、元のデータ・ストリームをサンプル化データ・ストリームに変換し、サンプル化データ・ストリームを符号化して第１再生データ・ストリームを生成するような動作を行わせるもの、を備えるもの、を含み得るものであり、該第１再生データ・ストリームは更に、ポータブル・データ処理装置に記憶される工程及び/又はポータブル・データ処理装置に送信される工程が行われて、視聴される。当然、上記動作は更に、第１再生データ・ストリームと関連したメタ・データ及び実行可能プログラムをデータ処理装置に送信する動作を含み得る。
【００４０】
マシンによってアクセス可能な媒体は更に、マシンに、元のデータ・ストリームを第２再生データ・ストリームに符号化し、第２再生データ・ストリームを復号化して最終再生データ・ストリームを備え、最終再生データ・ストリームをテレビジョン受信機に送信するような、別の動作を行わせるデータを含み得る。
【００４１】
本発明の上記装置、システム、物品、及び方法は効率的な機構を備え、該機構によって、アナログとディジタルとのいずれかの形式で受信される、オーディオ/ビデオのコンテンツが、元のデータ・ストリームに変換され、該元のデータ・ストリームは、PVRのような、（通常は非ポータブルの）消費者向機器を用いて視聴するよう、符号化、記憶、及び復号化し得る。重要なことは、しかしながら、本発明が、好都合に、再生データ・ストリームを、有用な形態で、PEDのような、種々のデータ処理装置に転送することができるようにすることにあり、該装置はそのような（通常はポータブルの）装置の限定されたメモリ及び処理機能を収容する。本発明の種々の実施例は実施し得るものであり、コスト節約は構成要素の再使用によって実現し得る。更に、PED及び別のポータブル装置にオーディオ/ビデオのコンテンツを容易に処理し、転送する機能は、消費者が、テレビジョン記録のような、オーディオ/ビデオのコンテンツを、ポータブル装置を動作し得るどこの場所でも、楽しむことを可能にすることによって、視聴者の潜在規模を増大させ、場合によっては、コンテンツ・プロバイダにとってのライセンシング収益の追加収益源としての役目を担うものとなる。
【００４２】
特定の実施例を本明細書及び特許請求の範囲において示し、記載したが、当業者は、同様の目的を実現するよう意図された如何なる装置によっても上記に表した特定の実施例を置換し得ることが分かるものである。この開示内容は本発明の改造又は変形の全てに及ぶよう意図されている。上記明細書は、限定的なものではなく、例示的なものとして、作成されたものであることとする。上記実施例の組み合わせ、及び本明細書並びに特許請求の範囲に特に記載されていない別の実施例は、当業者が、上記明細書をチェックすることによって、明らかとなる。本発明の範囲は、如何なる別の応用分野で、上記構造及び方法が用いられるもの、にも含まれる。本発明の範囲は、特許請求の範囲、更には、最大限可能な範囲の均等物で、該均等物に対してそのような特許請求の範囲が権利付与されるもの、を参照することによって、判定されるものとする。
【図面の簡単な説明】
【００４３】
【図１】本発明の種々の実施例による、装置、マシンによってアクセス可能な媒体を含む物品、及びシステムのブロック図である。
【図２】本発明の種々の実施例による、代替的装置、マシンによってアクセス可能な媒体を含む代替的物品、及び代替的システムのブロック図である。
【図３】本発明の種々の実施例による例示的ユーザ・インタフェース表示の図である。
【図４】本発明の実施例による、コンテンツの処理及び転送を行う方法を示す流れ図である。
【図５】本発明の実施例による、コンテンツの処理及び転送を行う代替的方法を示す流れ図である。
【図１】
2006508557.tif 000003
【図２】
2006508557.tif 000004
【図３】
2006508557.tif 000005
【図４】
2006508557.tif 000006
【図５】
2006508557.tif 000007
【国際調査報告】
2006508557.tif 000008
2006508557.tif 000009
2006508557.tif 000010
2006508557.tif 000011